(57)【要約】【課題】振動や衝撃に強くかつ位置決めを容易に行うことが可能なコアユニットの提供。【解決手段】第１ボビン２０は第１コア１０と第２コア１４とが近接対向位置にあるときに互いに対向する一方の脚部間にまたがって配置される。ブスバー４０に形成された係合穴４０ａは第１コア１０と第２コア１４により形成される空間内に位置する第１ボビン２０の一部に設けられた係合突起３１に係合される。第２ボビン５０は第１コア１０と第２コア１４との他方の脚部間にまたがって係合しブスバー４０に当接される。また、第１支持具６０および第２支持具７０は、第１ボビン２０と第２ボビン５０と第１コア１０または第２コア１４と係合し、コアユニット１の一体性を維持する。【選択図】図１ 
2005085919.tif 000002
【特許請求の範囲】
【請求項１】
一対の脚部を備えるＵ字状の第１コアと、
該第１コアに対向配置される一対の脚部を備えるＵ字状の第２コアと、
該第１コアと該第２コアとが近接対向位置にあるときに形成される空間に配置されるブスバーと
該第１コアと該第２コアとが近接対向位置にあるときに互いに対向する一方の脚部間にまたがって配置され一部が該空間内に位置し該ブスバーの一面側に面する第１ボビンと、
該第１コアと該第２コアとが近接対向位置にあるときに互いに対向する他方の脚部間にまたがって配置され該ブスバーの他面側と対向する第２ボビンと、
該第１コア、該第２コア、第１ボビンおよび第２ボビンと係合して該第１コアと該第２コアとの該近接対向位置を維持する支持具とによって構成され、
該第１ボビンの該一部には第１係合部が設けられ、該ブスバーには該第１係合部と係合する第２係合部が設けられていることを特徴とするコアユニット。
【請求項２】
該第１係合部は、該第１ボビンの該一部において２個以上該ブスバーの方向に向かって突起状に設けられていることを特徴する請求項１に記載のコアユニット。
【請求項３】
該第１係合部は、該ブスバー方向に向かって先細りのテーパ状に設けられていることを特徴とする請求項２に記載のコアユニット。
【請求項４】
該第１ボビンは、一対の腕部と、一対の該腕部をつなぐ底部および一対の板部を備えたＵ字状の基部とにより構成され、該板部と該底部により規定される角部は該板部と該底部をつなぐ直角三角形の斜辺をなすごとき傾斜面であり、該傾斜面には該ブスバーの縁部が当接可能であることを特徴とする請求項１に記載のコアユニット。
【請求項５】
該第１ボビンの該一部であって、該ブスバーとは反対側には第１スペーサが突出して設けられ、
該第２ボビンの該第１コアおよび該第２コア側には第２スペーサが突出して設けられ、
該第１コアと該第２コアの互いに対向する一方の脚部のそれぞれの先端面は該第１スペーサに当接可能に設けられ、該第１コアと該第２コアの互いに対向する他方の脚部のそれぞれの先端面は該第２スペーサに当接可能に設けられて、近接対向位置を提供することを特徴とする請求項１に記載のコアユニット。
【請求項６】
該支持具は、第１支持具と第２支持具を有し、該第１支持具は該第１コア、該第１ボビンおよび該第２ボビンに係合し、該第２支持具は該第２コア、該第１ボビンおよび該第２ボビンに係合して、該第１支持具および該第２支持具により該第１コアと該第２コアの近接対向位置を維持することを特徴とする請求項５に記載のコアユニット。
【請求項７】
該第１ボビンの該第２ボビンに対向する部位には第１係止部が設けられ、該第２ボビンの該第１ボビンに対向する部位には第２係止部が設けられ、該第２ボビンが該ブスバーの該他面側に接近する時に該第２係止部が該第１係止部を乗り越える位置関係にあることを特徴とする請求項１に記載のコアユニット。
【請求項８】
第１コアと、
該第１コアに対向配置される第２コアと、
該第１コアと該第２コアとが近接対向位置にあるときに両者間に形成される空間に配置されるブスバーと
該第１コアと該第２コアとが近接対向位置にあるときに該第１コアの第１部と該第２コアの第１部との少なくとも一方に関連するように配置され、一部が該空間内に位置し該ブスバーの一面側に面する第１ボビンと、
該第１コアと該第２コアとが近接対向位置にあるときに該第１コアの第２部と該第２コアの第２部との少なくとも一方に関連するように配置され、該ブスバーの他面側と対向する第２ボビンと、
該第１コア、該第２コア、第１ボビンおよび第２ボビンと係合して該第１コアと該第２コアとの該近接対向位置を維持する支持具とによって構成され、
該第１ボビンの該一部には第１係合部が設けられ、該ブスバーには該第１係合部と係合する第２係合部が設けられていることを特徴とするコアユニット。
【発明の詳細な説明】
【技術分野】
【０００１】
本発明は、ノイズの発生を防止するためのコアをブスバーの周囲に固定するためのコアユニットに関する。
【背景技術】
【０００２】
従来から、ブスバーに非接触状態で一対のコアをブスバーの周囲に固定する取付け構造が提案されている。例えば、一対のＵ字状のコアが近接対向位置にあるときに形成される空間にブスバーを固定配置するとき、ブスバーをその上下から一対のコアで挟み、支持具の両腕部により一対のコアを抱え込むように保持し、コアの近接対向位置を維持する。次に、支持部の両腕部に突設された係合突起をブスバーに形成された係合穴に係合し、ブスバーと一対のコアとの非接触状態を維持している（例えば特許文献１参照）。
【０００３】
また、一対のコアとブスバーとの間にスペーサおよび絶縁シートを挟み、ネジ締めによりブスバーと一対のコアとの非接触状態を維持しているものもある（例えば特許文献２参照）。
【０００４】
【特許文献１】特開２００２−２８０７６４
【特許文献２】特開平９−１３４８２４
【発明の開示】
【発明が解決しようとする課題】
【０００５】
しかし、従来のコアユニットでは、支持具の係合突起とブスバーの係合穴のみでブスバーと一対のコアとの非接触状態を保持するため、自動車のように振動や衝撃が発生しやすい環境に置いたときに、位置ずれを起こしブスバーとコアとが接触し、コアが破壊することがあった。また、コアユニットをネジ締めによって一体に固定しているため、振動によりネジが緩み、コアユニットの一体性を保持できないことがあった。なお、ブスバーと一対のコアとの非接触状態を保持するためのボビンを使用した例もあったが位置決めが困難であった。
【０００６】
そこで本発明は、振動や衝撃に強くかつ位置決めを容易に行うことが可能なコアユニットを提供することを目的とする。
【課題を解決するための手段】
【０００７】
上記目的を達成するために、本発明は、一対の脚部を備えるＵ字状の第１コアと、該第１コアに対向配置される一対の脚部を備えるＵ字状の第２コアと、該第１コアと該第２コアとが近接対向位置にあるときに形成される空間に配置されるブスバーと、該第１コアと該第２コアとが近接対向位置にあるときに互いに対向する一方の脚部間にまたがって配置され一部が該空間内に位置し該ブスバーの一面側に面する第１ボビンと、該第１コアと該第２コアとが近接対向位置にあるときに互いに対向する他方の脚部間にまたがって係合し該ブスバーの他面側と対向する第２ボビンと、該第１コア、該第２コア、第１ボビンおよび第２ボビンに係合して該近接対向位置を維持する支持具とによって構成され、該第１ボビンの該一部には第１係合部が設けられ、該ブスバーには該第１係合部と係合する第２係合部が設けられているコアユニットを提供している。
【０００８】
ここで、該第１係合部は、該第１ボビンの該一部において２個以上該ブスバーの方向に向かって突起状に設けられているコアユニットを提供している。このとき、該第１係合部は、該ブスバー方向に向かって先細りのテーパ状に設けられているコアユニットを提供している。
【０００９】
また、該第１ボビンは、一対の腕部と、一対の該腕部をつなぐ底部および一対の板部を備えたＵ字状の基部とにより構成され、該板部と該底部により規定される角部は該板部と該底部をつなぐ直角三角形の斜辺をなすごとき傾斜面であり、該傾斜面には該ブスバーの縁部が当接可能であるコアユニットを提供している。
【００１０】
また、該第１ボビンの該一部であって、該ブスバーとは反対側には第１スペーサが突出して設けられ、該第２ボビンの該第１コアおよび該第２コア側には第２スペーサが突出して設けられ、該第１コアと該第２コアの互いに対向する一方の脚部のそれぞれの先端面は該第１スペーサに当接可能に設けられ、該第１コアと該第２コアの互いに対向する他方の脚部のそれぞれの先端面は該第２スペーサに当接可能に設けられて、近接対向位置を提供するコアユニットを提供している。
【００１１】
ここで、該支持具は、第１支持具と第２支持具を有し、該第１支持具は該第１コア、該第１ボビンおよび該第２ボビンに係合し、該第２支持具は該第２コア、該第１ボビンおよび該第２ボビンに係合して、該第１支持具および該第２支持具により該第１コアと該第２コアの近接対向位置を維持するコアユニットを提供している。
【００１２】
また、該第１ボビンの該第２ボビンに対向する部位には第１係止部が設けられ、該第２ボビンの該第１ボビンに対向する部位には第２係止部が設けられ、該第２ボビンが該ブスバーの該他面側に接近する時に該第２係止部が該第１係止部を乗り越える位置関係にあるコアユニットを提供している。
【００１３】
本発明は、さらに、第１コアと、該第１コアに対向配置される第２コアと、該第１コアと該第２コアとが近接対向位置にあるときに両者間に形成される空間に配置されるブスバーと、該第１コアと該第２コアとが近接対向位置にあるときに該第１コアの第１部と該第２コアの第１部との少なくとも一方に関連するように配置され、一部が該空間内に位置し該ブスバーの一面側に面する第１ボビンと、該第１コアと該第２コアとが近接対向位置にあるときに該第１コアの第２部と該第２コアの第２部との少なくとも一方に関連するように配置され、該ブスバーの他面側と対向する第２ボビンと、該第１コア、該第２コア、第１ボビンおよび第２ボビンと係合して該第１コアと該第２コアとの該近接対向位置を維持する支持具とによって構成され、該第１ボビンの該一部には第１係合部が設けられ、該ブスバーには該第１係合部と係合する第２係合部が設けられているコアユニットを提供している。
【発明の効果】
【００１４】
請求項１記載のコアユニットによれば、第１ボビンは第１コアと第２コアとが近接対向位置にあるときに互いに対向する一方の脚部間にまたがって配置され、第１ボビンの一部が空間内に位置し、ブスバーの一面側に面している。また、第２ボビンは第１コアと第２コアとが近接対向位置にあるときに互いに対向する他方の脚部間にまたがって配置されブスバーの他面側と対向している。また、支持具は第１コア、第２コア、第１ボビンおよび第２ボビンに係合して第１コアと第２コアとの近接対向位置を維持しており、第１ボビンの一部には第１係合部が設けられ、ブスバーには第１係合部と係合する第２係合部が設けられている。これにより、第１ボビンのブスバーへの取付けの位置決めが容易となるので、第１コアおよび第２コアをブスバーに対して非接触状態で所望の位置に配置できる。
【００１５】
請求項２記載のコアユニットによれば、第１ボビンの一部において２個以上ブスバーの方向に向かって突起状に設けられているので、第１ボビンをブスバーに対して所望の方向および位置に取付けることができる。
【００１６】
請求項３記載のコアユニットによれば、第１係合部がブスバー方向に向かって先細りのテーパ状に設けられているので、第１係合部と第２係合部が係合したときに第２係合部がテーパ状の斜面に当接される。これにより第１係合部と第２係合部間のＸ、Ｙ、Ｚの３軸方向のがたつきを防止することができ、振動や衝撃によるコアの破壊を防止することができる。
【００１７】
請求項４記載のコアユニットによれば、板部と底部により規定される角部は板部と底部をつなぐ直角三角形の斜辺をなすごとき傾斜面が設けられ、傾斜面にはブスバーの縁部が当接可能であるので、第１ボビンとブスバー間のＸ、Ｙ、Ｚの３軸方向のがたつきを防止することができ、振動や衝撃によるコアの破壊を防止することができる。
【００１８】
請求項５記載のコアユニットによれば、第１コアと第２コアの互いに対向する一方の脚部のそれぞれの先端面は第１スペーサに当接可能に設けられ、第１コアと第２コアの互いに対向する他方の脚部のそれぞれの先端面は第２スペーサに当接可能に設けられているので、第１コアと第２コアが近接対向位置にあるときに、第１コアと第２コア間に適切な幅のギャップを形成することができる。このため、一定量のインダクタンス値を得ることができる。また、第１スペーサおよび第２スペーサの肉厚を変更すれば所望のインダクタンス値に変更することができる。
【００１９】
請求項６記載のコアユニットによれば、第１支持具は第１コア、第１ボビンおよび第２ボビンに係合し、第２支持具は第２コア、該第１ボビンおよび第２ボビンに係合して第１支持具および第２支持具により第１コアと第２コアの近接対向位置を維持するので、第１コアと第２コア間に形成されるギャップ付近に支持具が配置されることがない。この構成により、ギャップからの漏れ磁束の影響を支持具が受けることはないので、支持具における発熱を防止することができる。また、第１支持具および第２支持具による付勢力により、第１コアおよび第２コアと第１ボビンとの当接状態を確保し、第１コアおよび第２コアと第１ボビン間のがたを防止する。これにより、振動や衝撃による第１コアおよび第２コアの破壊を防止することができる。また、第１支持具および第２支持具により第２ボビンはブスバーを押圧しブスバーは第１ボビンを押圧するので、第１コアおよび第２コアが対向する方向と直行する方向における第１ボビンとブスバー間のＸ、Ｙ、Ｚの３軸方向のがたつきを防止することができる。
【００２０】
請求項７記載のコアユニットによれば、第２ボビンがブスバーの他面側に接近する時に第２係止部が第１ボビンの第１係止部を乗り越える位置関係にあるので、組立ての際、第２係止部が第１係止部を乗り越えた後に第１ボビンおよび第２ボビンが互いに分離することはない。そのため、ブスバーへ第１ボビン、第２ボビン、第１コア、第２コアおよび支持具の取付けを容易に行うことができる。
【００２１】
請求項８記載のコアユニットによれば、第１ボビンは第１コアと第２コアとが近接対向位置にあるときに第１コアの第１部と第２コアの第１部との少なくとも一方に関連するように配置され、第１ボビンの一部が該空間内に位置し、該ブスバーの一面側に面している。また、第２ボビンは第１コアと第２コアとが近接対向位置にあるときに第１コアの第２部と第２コアの第２部との少なくとも一方に関連するように配置され、ブスバーの他面側と対向している。また、支持具は第１コア、第２コア、第１ボビンおよび第２ボビンと係合して第１コアと第２コアとの近接対向位置を維持しており、第１ボビンの一部には第１係合部が設けられ、ブスバーには第１係合部と係合する第２係合部が設けられている。これにより、第１ボビンのブスバーへの取付けの位置決めが容易となるので、第１コアおよび第２コアをブスバーに対して非接触状態で所望の位置に配置できる。
【発明を実施するための最良の形態】
【００２２】
本発明の第１の実施の形態によるコアユニットについて図１乃至図４に基づき説明する。
図１に示すように、コアユニット１は第１コア１０と、第２コア１４と、第１ボビン２０と、ブスバー４０と、第２ボビン５０と、第１支持具６０と、第２支持具７０とにより構成される。
【００２３】
第１コア１０は、一対の第１コア脚部１１、１２と、一対の第１コア脚部１１、１２を一体に接続する第１コア基部１３とによりＵ字状をなす。第２コア１４は一対の第２コア脚部１５、１６と、一対の第２コア脚部を一体に接続する第２コア基部１７とによりＵ字状をなす。そして、第１コア脚部１１、１２のそれぞれの自由端１１Ａ、１２Ａが、第２コア脚部１６、１７のそれぞれの自由端１６Ａ、１７Ａに対向するように配置される。
【００２４】
第１ボビン２０は一対の第１腕部２１、２２と、一対の第１腕部２１、２２を接続する第１基部２３により構成される。第１腕部２１、２２はコの字状である。第１腕部２１、２２間の幅Ｗ２は第１コアの幅Ｗ１と等しいかわずかに大きく、第１コア１０の一方の第１コア脚部１１を挿入可能な幅である。第１基部２３の第１コア脚部１１と接する側の略中央には第１腕部２１、２２間に渡って第１スペーサ２４が設けられている。第１スペーサ２４は基部２３から離間する方向に突出し、第１スペーサ２４の両側には第１、第２コア脚部１１、１５の自由端１１Ａ、１５Ａが当接可能である。
【００２５】
基部２３は底部２５および一対の板部２６を備えたＵ字状である。底部２５と板部２６により規定される角部は底部２５と板部２６をつなぐ直角三角形の斜辺をなすごとき傾斜面２７（図２）である。また、第１腕部２１、２２の第１コア１０側の角部付近の外面側にはそれぞれ第１突部２８が設けられている。第１突部２８は第１コア１０側から第２コア１６側に向かって徐々に肉厚になるように傾斜状に設けられている。同様に、第１腕部２１、２２の第２コア１０側の角部付近の外面側にはそれぞれ第２突部２９が設けられている。第２突起部２９は第２コア１４側から第１コア１０側に向かって徐々に肉厚になるように傾斜状に設けられている。
【００２６】
一対の板部２６の両端に対応する位置であって、第１腕部２１、２２の外面側にはそれぞれ第１係止部３０が設けられている。また、底部２５の第１スペーサ２４が設けられた側とは逆側の中心部には第１スペーサ２４と反対方向に突出する係合突起３１（図２）が設けられている。
【００２７】
ブスバー４０は、幅Ｗ２方向に伸びる板状の部材であり、第１コア１０と第２コア１４が対向する方向の両端には縁部４１が規定されている。ブスバー４０の第１コア１０と第２コア１４が対向する方向の略中央には係合突起３１を挿通可能な大きさの係合穴４０ａが形成されている。
【００２８】
第２ボビン５０は、一対の第２腕部５１、５２と、一対の第２腕部５１、５２を接続する第２基部５３により構成される。第２腕部５１、５２間の幅Ｗ３は第１コアの幅Ｗ１と等しいかわずかに大きく、第１コア脚部１２を挿通可能な幅である。第２基部５３のブスバー４０側の第１コア１０と第２コア１４が対向する方向の中央には、第２腕部５１、５２間に渡って、第２スペーサ５４が設けられている。第２スペーサ５４はブスバー４０の方向に突出するように設けられており、第２スペーサ５４の両側には第１、第２コア脚部１２、１６の自由端１２Ａ、１６Ａが当接可能である。
【００２９】
第２基部５３の第２スペーサ５４が設けられた側とは反対側の中央部には、第１コア１０と第２コア１４とが対向する方向の一端から他端に渡って第１凹部５３ａ（図２）が形成されている。第１凹部５３ａの第１コア１０と第２コア１４とが対向する方向の両端付近には、第２スペーサ５４と反対方向に突出する第３突部５３Ａおよび第３突部５３Ｂが設けられている。また、一対の第２腕部５１、５２の先端の外側面には、第１コア１０と第２コア１４とが対向する方向に渡ってそれぞれにリブ５５が設けられている。それぞれのリブ５５の両端は第２腕部５１、５２の縁辺から突出して、第２係止部５５Ａが提供される。また、第１ボビン２０の一対の板部２６間の幅Ｗ４は第２腕部５１、５２の第１コア１０と第２コア１４とが対向する方向の幅Ｗ５より等しいかわずかに大きく、第２腕部５１、５２を挿通可能な幅である。
【００３０】
第１支持具６０は、第３基部６１と、第３基部６１の一端のブスバー４０の長手方向両端からブスバー４０の長手方向にそれぞれ突出して第１コア１０の方向に湾曲した第１取付け部６２と、第３基部６１の他端から第１コア１０の方向に突出して設けられる第２取付け部６３とで構成される。それぞれの第１取付け部６２の先端付近には第１突部２８と係合するための第１取付け穴６２ａが形成されている。また、第２取付け部６３の先端付近には第３突部５３Ａと係合するための第２取付け穴６３ａが形成されている。
【００３１】
第２支持具７０は、第４基部７１と、第４基部７１の一端のブスバー４０の長手方向両端からブスバー４０の長手方向にそれぞれ突出して第２コア１４の方向に湾曲した第３取付け部７２と、第４基部７１の他端から第２コア１４の方向に突出して設けられる第４取付け部７３とで構成される。それぞれの第３取付け部７２の先端付近には第２突部２９と係合するための第３取付け穴７２ａが形成されている。第４取付け部７３の先端付近には第３突部５３Ｂと係合するための第４取付け穴７３ａが形成されている。また、第１支持具６０と第２支持具７０の角部θは鋭角に湾曲されている。
【００３２】
次に、上述の第１コア１０、第２コア１４、第１ボビン２０、ブスバー４０、第２ボビン５０、第１支持具６０、第２支持具７０を構成要素とするコアユニット１の組立て手順について説明する。
【００３３】
まず、ブスバー４０の係合穴４０ａと第１ボビン２０の係合突起３１を係合させ、第１ボビン２０の傾斜面２７にブスバー４０の縁部４１を当接させる。これにより、第１ボビン２０と第２ボビン５０が対向する方向と直行する方向における第１ボビン２０とブスバー４０間のがたを防止することができ、振動や衝撃による第１コア１０と第２コア１４の破壊を防止することができる。また、係合穴４０ａと係合突起３１との係合により、ブスバー４０に対し第１ボビン２０を所望の位置に設定できる。
【００３４】
次に、第１ボビン２０の第１係止部３０および第２ボビン５０の第２係止部５５Ａのそれぞれが対向するように第１ボビン２０と第２ボビン５０を対向配置させて、ブスバー４０に第２ボビン５０を接近させる。そして、第２係止部５５Ａを第１係止部３０に対して乗り越えさせ、第１ボビン２０と第２ボビン５０を互いに係合させ、第２ボビン５０のリブ５５をブスバー４０に当接する。これにより、組立て中に第１ボビン２０および第２ボビン５０が互いに分離することがない。そのため、ブスバー４０への第１ボビン２０、第２ボビン５０、第１コア１０、第２コア１４、第１支持具６０および第２支持具７０の取付けを容易に行うことができる。
【００３５】
次に、第１コア１０の第１コア脚部１１を第１ボビン２０の第１腕部２１、２２間に挿通させ、同時に第１コア１０の第１コア脚部１２を第１ボビン２０と第２ボビンにより形成される空間に挿通させる。そして、第１コア１０の自由端１１Ａ、１２Ａをそれぞれ第１ボビン２０の第１スペーサ２４および第２ボビン５０の第２スペーサ５４に当接させる。同様に、第２コア１４の第２コア脚部１５を第１腕部２１、２２間に挿通させ、同時に第１コア１０の第１コア脚部１６を第１ボビン２０と第２ボビンにより形成される空間に挿通させる。そして、第２コア１４の自由端１６Ａ、１７Ａをそれぞれ第１ボビン２０の第１スペーサ２４および第２ボビン５０の第２スペーサ５４に当接させる。これにより、第１コア１０と第２コア１４の近接対向位置が決定される。このとき、第１スペーサ２４および第２スペーサ５４の肉厚に応じて第１コア１０と第２コア１４間に所望の幅のギャップが形成されるので、所望のインダクタンス値を得ることができる。
【００３６】
次に、第１支持具６０は第１コア１０を挟み込むように第１ボビン２０のそれぞれの第１突部２８と第１支持具６０のそれぞれの第１取付け穴６２ａとを係合させ、同時に第１支持具６０の第２取付け穴６３ａと第２ボビン５０の第３突部５３Ａとを係合させる。このとき、第１突部２８が傾斜状に設けられておりかつ第１支持具６０の角部θが鋭角であるので、第１支持具６０のそれぞれの第１取付け部６２が外側に広がりながら上述した係合が弾発的になされ、係合後は第１支持具６０の第１取付け部６２側は第１コア１０に当接される。第２取付け部６３も角部θが鋭角であるので、外側に広がりながら弾発的に係合される。また、第１支持具６０の角部θが鋭角であることにより、第３基部６１の第１取付け部６２側は第１コア１０を押圧することができ、第２取付け部６３の第２取付け穴６３ａの周囲部分は第２ボビン５０を押圧することができる。
【００３７】
同様に、第２支持具７０は第２コア１４を挟み込むように第１ボビン２０のそれぞれの第２突部２９と第２支持具７０の第３取付け穴７２ａとを係合させ、同時に第２支持具７０の第４取付け穴７３ａと第２ボビン５０の第３突部５３Ｂとを係合させる。このとき、第２突部２９が傾斜状に設けられておりかつ第２支持具７０の角部θが鋭角であるので、それぞれの第３取付け部７２が外側に広がりながら上述した係合が弾発的になされ、係合後は第２支持具７０の第２取付け部７２側は第２コア１４に当接される。第４取付け部７３も角部θが鋭角であるので、外側に広がりながら弾発的に係合される。また、第２支持具７０の角部θが鋭角であることにより、第４基部７１の第３取付け部７２側は第２コア１４を押圧することができ、第４取付け部７３の第４取付け穴７３ａの周囲部分は第２ボビン５０を押圧することができる。
【００３８】
このように、第１支持具６０および第２支持具７０により第１コア１０と第２コア１４の近接対向位置を維持するので、第１コア１０と第２コア１４間に形成されるギャップ付近に支持具が配置されることがない。この構成により、ギャップ部から広がる漏れ磁束の影響により、支持具において渦電流損による発熱が生じるのを防止することができる。また、第１支持具６０の第１取付け部６２側および第２支持具７０の第３取付け部７２側による付勢力により、第１コア１０および第２コア１４と第１ボビン２０との当接状態を確保し、第１コア１０および第２コア１４と第１ボビン２０間のがたを防止する。これにより、振動や衝撃による第１コア１０および第２コア１４の破壊を防止することができる。また、第２取付け部６３および第４取付け部７３による付勢力により第２ボビン５０はブスバー４０を押圧して、傾斜面２７に対するブスバー４０の縁部４１の当接を確保する。
【００３９】
従って、第１ボビン２０と第２ボビン５０が対向する方向と直行する方向における第１ボビン２０とブスバー４０間のがたを防止することができ、振動や衝撃による第１コア１０と第２コア１４の破壊を防止することができる。以上により、図３、図４のように、第１コア１０と第２コア１４により形成される空間にブスバー４０を第１コア１０と第２コア１４に非接触状態で所望の位置に配置できる。
【００４０】
次に、本発明の第２の実施の形態によるコアユニット１００について、図５に基づき説明する。第２の実施の形態において、図２に示される部材と同一の部材は同一の番号を付し、説明を省略する。第２の実施の形態では、第１の実施の形態の第１ボビン２０の係合突起３１に相当する２個の係合突起３１Ａ、３１Ｂが第１ボビン１２０の底部２５の幅Ｗ４の方向の略中心に突設されている。係合突起３１Ａ、３１Ｂは幅Ｗ４の方向に直行する方向に並べられ、第２ボビン５０の方向に向かって先細りのテーパ状に設けられている。また、第１の実施の形態に設けられていた、傾斜面２７は第２の実施の形態には設けられていない。
【００４１】
ブスバー１４０の幅Ｗ４の方向の略中心には、第１の実施の形態のブスバー４０の係合穴４０ａに相当する係合穴４０ａ１、４０ａ２が形成されている。係合穴４０ａ１、４０ａ２の間隔は第１ボビン１２０の係合突起３１Ａ、３１Ｂの間隔とほぼ等しい。また、係合穴４０ａ１、４０ａ２の大きさは、第１ボビン１２０の係合突起３１Ａ、３１Ｂの先端部よりも大きく基端部よりも小さく形成されている。
【００４２】
第２の実施の形態の構成によると、コアユニット１の組立てを行う際、第１ボビン１２０に２個の係合突起３１Ａ、３１Ｂが設けられているので、ブスバー１４０に対して第１ボビン１２０を所望の方向および位置に取付けることができる。また、第１ボビン１２０の係合突起３１Ａ、３１Ｂが第２ボビン５０の方向に向かって先細りのテーパ状に設けられており、かつブスバー１４０の係合穴４０ａ１、４０ａ２は、係合突起３１Ａ、３１Ｂの先端部よりも大きく基端部よりも小さい大きさに形成されている。
【００４３】
このため、係合穴４０ａ１、４０ａ２に係合突起３１Ａ、３１Ｂを挿通するときに、係合穴４０ａ１、４０ａ２は係合突起３１Ａ、３１Ｂのテーパ状の斜面に必ず当接される。これにより、第１ボビン２０と第２ボビン５０が対向する方向と直行する方向において、係合穴４０ａ１、４０ａ２と係合突起３１Ａ、３１Ｂ間のがたを防止することができ、振動や衝撃による第１コア１０と第２コア１４の破壊を防止することができる。
【００４４】
次に、本発明の第３の実施の形態によるコアユニット２００について、図６に基づき説明する。第３の実施の形態において、図２に示される部材と同一の部材は同一の番号を付し、説明を省略する。第３の実施の形態では、第１の実施の形態の係合突起３１に相当する２個の係合突起３１Ｃ、３１Ｄが設けられている。係合突起３１Ｃは第１ボビン２２０の底部２５の第２コア１４側かつ第１腕部２２側の角において、底部２５から板部２６に接しつつ第２ボビン５０の方向に突設されている。係合突起３１Ｄは底部２５の第１コア１０側かつ第１腕部２１側の角において、底部２５から板部２６に接しつつ第２ボビン５０の方向に突設されている。
【００４５】
ブスバー２４０の縁部４１には第１の実施の形態のブスバー４０の係合穴４０ａに相当し、係合突起３１Ｃ、３１Ｄを挿通可能な大きさの係合スリット４０ｂ１、４０ｂ２がスリット状に形成されている。係合スリット４０ｂ１は縁部４１の第２コア１４側に、係合スリット４０ｂ２は縁部４１の第１コア１０側に形成されている。係合スリット４０ｂ１、４０ｂ２は第１ボビン２２０の係合突起３１Ｃ、３１Ｄを同時に挿通可能な位置に形成されている。
【００４６】
第３の実施の形態の構成によれば、第１ボビン２２０に２個の係合突起３１Ｃ、３１Ｄが設けられているので、ブスバー２４０に対して第１ボビン２２０を所望の方向および位置に取り付けることができ、ブスバー２４０に対し第１ボビン２２０を所望の位置に設定できる。
【００４７】
次に、本発明の第４の実施の形態によるコアユニット３００について、図７に基づき説明する。第４の実施の形態において、図２に示される部材と同一の部材は同一の番号を付し、説明を省略する。第４の実施の形態では、第１の実施の形態における、第１突部２８と第２突部２９とに相当する第１突部３２８と第２突部３２９とが第１の実施の形態とほぼ同じ位置に設けられている。第１突部３２８と第２突部３２９はブスバー４０側から第１ボビン３２０側に向かって徐々に肉厚になるように傾斜状に設けられている。そして、図８は第１ボビン３２０および第２ボビン３５０を図７のＡの方向から見た図である。板部３２６のブスバー４０に面する縁における中央部にはブスバー４０に対して後退するコの字状の第２凹部３２６ａが形成されている。
【００４８】
第２ボビン３５０は一対の第２腕部３５１と、一対の第２腕部３５１を接続する第２基部３５３により構成される。第２基部３５３の第１コア１０と第２コア１４が対向する方向の両端であってブスバー４０の長手方向の中央部から突起部３５２がそれぞれ第２基部３５３から離間する方向に突設されている。突起部３５２は板部３２６の第１コア１０と第２コア１４が対向する方向の幅とほぼ等しい幅だけ突設されている。
【００４９】
また、突起部３５２のブスバー４０の長手方向の幅は第２凹部３２６ａのブスバー４０の長手方向の幅より等しいかわずかに小さく、第２凹部３２６ａに挿通可能な幅である。第２基部３５３のブスバー４０側と反対側の中央にはブスバー４０の長手方向の一端から他端に渡って第１凹部３５３ａが形成されている。第１凹部３５３ａの第１コア１０と第２コア１４とが対向する方向の略中央にはブスバー４０の長手方向の一端から他端に渡って、反ブスバー４０の方向に第２スペーサ３５４が突設されている。第２スペーサ３５４の両側には第１、第２コア脚部１２、１６の自由端１２Ａ、１６Ａが当接可能である。
【００５０】
支持具３６０は、第５基部３６１と、一対の第１取付け部３６２と、４本の第２取付け部３６３と、一対の第３取付け部３６４と、一対の第４取付け部３６５とで構成される。一対の第１取付け部３６２は、第５基部３６１の第１コア１０と第２コア１４が対向する方向の両端からそれぞれブスバー４０の方向に突出するように設けられている。一対の第１取付け部３６２の先端付近にはそれぞれ第１コア１０、第２コア１４を押圧するための第１取付け作用部３６２ａが規定されている。４本の第２取付け部３６３は第５基部３６１の第１コア１０と第２コア１４が対向する方向の両端付近であって、ブスバー４０の長手方向の両端からそれぞれブスバー４０方向に突出して設けられている。それぞれの第２取付け部３６３の先端付近には、第１ボビン３２０の第１突部３２８および第２突部３２９と係合するための第２取付け穴３６３ａが形成されている。
【００５１】
一対の第３取付け部３６４は、第１コア１０と第２コア１４が対向する方向の中央部であって、ブスバー４０の長手方向の両端からそれぞれブスバー４０の方向に突設されている。第３取付け部３６４の先端付近には、第１コア１０および第２コア１４を押圧するための第３取付け作用部３６４ａが規定されている。一対の第４取付け部３６５は、その周囲がコの字状に切取られており、第５基部３６１の第１コア１０と第２コア１４が対向する方向の中央側の一辺のみが第５基部３６１と連係されている。また、第４取付け部３６５はブスバー４０の方向に傾斜するように設けられており、その先端には第１コア１０および第２コア１４を押圧するための第４取付け作用部３６５ａが規定されている。また、支持具３６０の角部θは鋭角に湾曲されている。
【００５２】
第４の実施の形態の構成によれば、ブスバー４０の係合穴４０ａと第１ボビン３２０の係合突起３１を係合させた後、第１ボビン２０の第２凹部３２６ａと第２ボビン３５０の第２基部３５２を係合させる。これと同時に第２係止部５５Ａを第１係止部３０に対して乗り越えさせ、第１ボビン２０と第２ボビン５０を互いに係合させ、第２ボビン３５０の第２基部３５２をブスバー４０に当接する。
【００５３】
次に、第１コア１０および第２コア１４を近接対向位置に配置した後、支持具３６０を一体化されたユニットに対し接近させ係合させる。このとき支持具３６０の角部θが鋭角であるので、それぞれの第１取付け部３６２、第２取付け部３６３、第３取付け部３６４、第５取付け部３６５は外側に広がりながら係合が弾発的になされる。同時に第２取付け穴３６３ａと第１ボビン３２０の第１突部３２８および第２突部３２９が係合される。
【００５４】
また、係合後は一対の第１取付け作用部３６２ａと第３取付け作用部３６４ａは第１コア１０および第２コア１４を押圧することにより、第１コア１０と第２コア１４の近接対向位置の状態が維持され、第４取付け作用部３６５ａによる付勢力により第１コア１０と第２コア１４を介し第２ボビン３５０はブスバー４０を押圧して、傾斜面２７に対するブスバー４０の縁部４１の当接を確保する。従って、第１コア１０および第２コア１４と第１ボビン３２０間のがたが防止されるので、振動や衝撃による第１コア１０および第２コア１４の破壊を防止することができる。また第１ボビン３２０と第２ボビン３５０が対向する方向と直行する方向における第１ボビン３２０とブスバー４０間のがたを防止することができ、振動による第１コア１０および第２コア１４の破壊を防止することができる。
【００５５】
第４の実施の形態においては、支持具が２個である第１の実施の形態とは異なり支持具が１個であるため、コアユニット１の構成要素を減少させることができ、コアユニット１の組立て性を向上することができる。また、図９のように、第１コア１０と第２コア１４により形成される空間に、ブスバー４０を第１コア１０と第２コア１４に非接触状態で所望の位置に配置できる。
【００５６】
本発明によるコアユニット１は上述した形態に限定されず、特許請求に記載した範囲で種々の変形や改良が可能である。例えば、第１コア１０と第２コア１４の形状はＵ字状であったが、一対のＵ字状のコアの組合せに限られずＵ字状、Ｉ字状やＥ字状の種々のコアの組合せによっても実施可能である。例えば、Ｕ字状とＩ字状のコアの組合せの時は、Ｕ字状とＩ字状のコアを第１ボビン２０に関連させ、Ｕ字状のコアを第２ボビン５０に関連させるように配置しても良いし、Ｕ字状のコアを第１ボビン２０に関連させ、Ｉ字状のコアを第２ボビン５０に関連させるように配置しても良い。
【００５７】
また、第３の実施の形態では第１ボビン２２０の係合突起３１Ｃを第２コア１４側に、係合突起３１Ｄを第１コア１０側に設けたが、係合突起３１Ｃ、３１Ｄの両方を第１コア１０側もしくは第２コア１４側に設けてもよい。そして、係合突起３１Ｃ、３１Ｄの位置を変更したときは、その位置に対応させてブスバー２４０の係合スリット４０ｂ１、４０ｂ２を形成する。また、係合突起３１Ｃ、３１Ｄは底部２５のブスバー２４０の長手方向の両端に設けられたが、両端ではなく内側の任意の位置に設けてもよい。
【００５８】
また、第４の実施の形態における第１ボビン２０の係合突起３１を第２の実施の形態の係合突起３１Ａ、３１Ｂもしくは第３の実施の形態の係合突起３１Ｃ、３１Ｄにしてもよい。そして、係合突起３１Ａ、３１Ｂに変更したときは第２の実施の形態のブスバー１４０に変更し、係合突起３１Ｃ、３１Ｄに変更したときは第３の実施の形態のブスバー２４０に変更する。
【００５９】
また、図１０のように、第１コア１０を弾性的に押圧するための切絞り部６４を第１支持具６０の第１取付け部６２側に設けてもよい。また、これと同様の切絞り部を第２支持具７０にも設けてもよい。
【図面の簡単な説明】
【００６０】
【図１】本発明の第１の実施の形態のコアユニットを示す分解斜視図。
【図２】本発明の第１の実施の形態のコアユニットを示す図１から９０°回転した方向から見たときの分解斜視図。
【図３】本発明の第１の実施の形態のコアユニットを組立て、図１と同方向から見たときの斜視図。
【図４】本発明の第１の実施の形態のコアユニットを組立て、図２と同方向から見たときの斜視図。
【図５】本発明の第２の実施の形態のコアユニットを示す分解斜視図。
【図６】本発明の第３の実施の形態のコアユニットを示す分解斜視図。
【図７】本発明の第４の実施の形態のコアユニットを示す分解斜視図。
【図８】図７のＡ方向から見たときの第１ボビン、第２ボビンの平面図。
【図９】本発明の第４の実施の形態のコアユニットを組立て、図７と同方向から見たときの斜視図。
【図１０】本発明の第１の実施の形態の変形例のコアユニットを組立てたときの斜視図。
【符号の説明】
【００６１】
１００、２００、３００、４００  コアユニット  
１０  第１コア
１１、１２  第１コア脚部
１１Ａ、１２Ａ、１５Ａ、１６Ａ  自由端
１４  第２コア
１５、１６  第２コア脚部
２０、１２０、２２０、３２０  第１ボビン
２１、２２  第１腕部
２３  第１基部
２４  第１スペーサ
２５  底部
２６  板部
２７  傾斜面
３０  第１係止部
３１、３１Ａ、３１Ｂ、３１Ｃ、３１Ｄ  係合突起
４０、１４０、２４０  ブスバー
４０ａ、４０ａ１、４０ａ２、４０ｂ１、４０ｂ２  係合穴
４１  縁部
５０、３５０  第２ボビン
５４  第２スペーサ
５５Ａ  第２係止部
６０  第１支持具
７０  第２支持具
３６０  支持具
【図１】
2005085919.tif 000003
【図２】
2005085919.tif 000004
【図３】
2005085919.tif 000005
【図４】
2005085919.tif 000006
【図５】
2005085919.tif 000007
【図６】
2005085919.tif 000008
【図７】
2005085919.tif 000009
【図８】
2005085919.tif 000010
【図９】
2005085919.tif 000011
【図１０】
2005085919.tif 000012